Podtech/llm-jp-corpus-v4-ja_patent huggingface dataset:
【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】
ネットワーク経由で接続された他のシステムに対して情報提供サービスを行う情報提供システムであって、
配信日時と配信チャンネルにより一意に特定される配信コンテンツに関連する配信コンテンツ関連情報を前記ネットワーク上で蓄積する蓄積手段と、
前記蓄積された配信コンテンツ関連情報に対するアクセス情報を、その配信日時及び配信チャンネルの組み合わせからなる配信情報と対応付けて保管する対応関係保管手段と、
を具備することを特徴とする情報提供システム。
【請求項２】
さらに、配信日時及び配信チャンネルの組み合わせからなる配信情報を伴なったアクセス要求に応答して、前記対応関係保管手段を検索して、該アクセス要求に対応するアクセス情報を取得するアクセス情報取得手段を具備することを特徴とする請求項１に記載の情報提供システム。
【請求項３】
さらに、配信日時及び配信チャンネルの組み合わせからなる配信情報を伴なったアクセス要求に応答して、前記対応関係保管手段を検索して、該アクセス要求に対応するアクセス情報を取得するアクセス情報取得手段と、
取得したアクセス情報に従って前記蓄積手段から配信コンテンツ関連情報を取り出す配信コンテンツ関連情報取り出し手段と、
を具備することを特徴とする請求項１に記載の情報提供システム。
【請求項４】
さらに、配信日時及び配信チャンネルの組み合わせからなる配信情報を伴なったアクセス要求に応答して、前記対応関係保管手段を検索して、該アクセス要求に対応するアクセス情報を取得するアクセス情報取得手段と、
取得したアクセス情報に従って前記蓄積手段から配信コンテンツ関連情報を取り出す配信コンテンツ関連情報取り出し手段と、
取り出した配信コンテンツ関連情報をアクセス要求元に返送する返送手段と、
を具備することを特徴とする請求項１に記載の情報提供システム。
【請求項５】
前記ネットワークはＴＣＰ／ＩＰ（Transmission ControlProtocol/Internet Protocol）プロトコルに従って接続されるネットワークであり、前記アクセス情報は「スキーム名（プロトコル名）://ホスト名（ドメイン名）：ポート番号/パス名（ファイル名）」という文字列形式のＵＲＬ（UniformResource Locator）で表記されることを特徴とする請求項１に記載の情報提供システム。
【請求項６】
前記の配信日時と配信チャンネルにより一意に特定される配信コンテンツは、放送局において提供される放送番組本編に関する放送コンテンツであり、配信コンテンツ関連情報は、該放送番組本編に関連する番組関連情報であることを特徴とする請求項１に記載の情報提供システム。
【請求項７】
ネットワーク経由で接続された他のシステムに対して情報提供サービスを行う情報提供方法であって、
配信日時と配信チャンネルにより一意に特定される配信コンテンツに関連する配信コンテンツ関連情報を前記ネットワーク上で蓄積する蓄積ステップと、
前記蓄積された配信コンテンツ関連情報に対するアクセス情報を、その配信日時及び配信チャンネルの組み合わせからなる配信情報と対応付けて保管する対応関係保管ステップと、
を具備することを特徴とする情報提供方法。
【請求項８】
配信日時と配信チャンネルにより一意に特定される配信コンテンツに関連する配信コンテンツ関連情報を蓄積する配信コンテンツ関連情報蓄積サーバを含む、複数のサーバを接続したネットワーク上で、情報提供サービスを行う情報提供システムであって、
前記配信コンテンツ関連情報蓄積サーバに蓄積された配信コンテンツ関連情報に対するアクセス情報を、その配信日時及び配信チャンネルの組み合わせからなる配信情報と対応付けて保管する対応関係保管手段を具備することを特徴とする情報提供システム。
【請求項９】
配信日時と配信チャンネルにより一意に特定される配信コンテンツに関連する配信コンテンツ関連情報を蓄積する配信コンテンツ関連情報蓄積サーバを含む、複数のサーバを接続したネットワーク上で、情報提供サービスを行う情報提供方法であって、
前記配信コンテンツ関連情報蓄積サーバに蓄積された配信コンテンツ関連情報に対するアクセス情報を、その配信日時及び配信チャンネルの組み合わせからなる配信情報と対応付けて保管する対応関係保管ステップを具備することを特徴とする情報提供方法。
【請求項１０】
配信日時と配信チャンネルにより一意に特定される配信コンテンツに関連する配信コンテンツ関連情報を蓄積する配信コンテンツ関連情報蓄積サーバを含む、複数のサーバを接続したネットワーク上で、情報提供サービスを行う情報提供処理をコンピュータ・システム上で実行せしめるためのコンピュータ・プログラムを有形的且つコンピュータ可読な形式で提供するプログラム提供媒体であって、前記コンピュータ・プログラムは、
（ａ）前記配信コンテンツ関連情報蓄積サーバに蓄積された配信コンテンツ関連情報に対するアクセス情報を、その配信日時及び配信チャンネルの組み合わせからなる配信情報と対応付けて保管する対応関係保管ステップと、
（ｂ）配信日時及び配信チャンネルの組み合わせからなる配信情報を伴なったアクセス要求に応答して、前記保管された対応関係を検索して、該アクセス要求に対応するアクセス情報を取得するアクセス情報取得ステップと、
を具備することを特徴とするプログラム提供媒体。
【請求項１１】
ネットワーク上のサーバに蓄積された情報を閲覧する情報閲覧システムであって、
配信日時と配信チャンネルにより一意に特定される配信コンテンツに関連する配信コンテンツ関連情報に対するユーザ閲覧要求を受け取る手段と、
配信コンテンツ関連情報に対するアクセス情報に代えて、配信日時と配信チャンネルの組み合わせの形式で記述されるアクセス情報を生成してアクセスを試行する手段と、
を具備することを特徴とする情報閲覧システム。
【請求項１２】
ネットワーク上のサーバに蓄積された情報を閲覧する情報閲覧処理をコンピュータ・システム上で実行せしめるためのコンピュータ・プログラムを有形的且つコンピュータ可読な形式で提供するプログラム提供媒体であって、前記コンピュータ・プログラムは、
（ａ）配信日時と配信チャンネルにより一意に特定される配信コンテンツに関連する配信コンテンツ関連情報に対するユーザ閲覧要求を受け取るステップと、
（ｂ）配信コンテンツ関連情報に対するアクセス情報に代えて、配信日時と配信チャンネルの組み合わせの形式で記述されるアクセス情報を生成してアクセスを試行するステップと、
を具備することを特徴とするプログラム提供媒体。
【請求項１３】
テレビ受信機に対する操作装置であって、
少なくともテレビ受信機に対する選局を入力するための入力部と、
前記入力部を介した選局内容と選局日時を記録する記録部と、
前記入力部における入力内容と前記記録部における記録内容を外部出力する出力部と、
を具備することを特徴とするテレビ受信機に対する操作装置。
【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】
所定の文字数から成る第１の文字群と、前記第１の文字群のそれぞれの文字に関連すると共に所定の文字数から成る第２の文字群とを段階的に選択することによって所定の文字を入力する文字入力装置であって、
前記第１の文字群に含まれる文字を表示する第１の文字群表示手段と、
前記第２の文字群に含まれる文字を表示する第２の文字群表示手段と、
前記第１の文字群および前記第２の文字群に含まれる何れかの文字の指示と当該指示された文字の選択決定に用いられる操作手段と、
前記操作手段を所定の操作状態にすることによって当該操作手段によって指示された前記第１の文字群に含まれる文字を選択決定する第１選択決定手段と、
前記所定の操作状態を解除することによって前記操作手段によって指示された前記第２の文字群に含まれる文字を選択決定する第２選択決定手段とを備えた、文字入力装置。
【請求項２】
前記第２の文字群は、前記第１の文字群とは異なる位置に表示されることを特徴とする、請求項１に記載の文字入力装置。
【請求項３】
前記第２の文字群は、前記第１の文字群の上に重ねて表示されることを特徴とする、請求項１に記載の文字入力装置。
【請求項４】
前記第２の文字群は、前記第１の文字群において選択された文字を中心としてその周辺に表示されることを特徴とする、請求項３に記載の文字入力装置。
【請求項５】
文字群の種類を選択する文字群種類選択手段と、次に選択される文字群の種類を表示する文字群種類表示手段とをさらに備え、
前記第１の文字群表示手段および前記第２の文字群表示手段は、前記文字群種類選択手段によって次の文字群の選択が指示されたとき、前記文字群種類表示手段に表示された種類の文字群に関連する文字を表示させることを特徴とする、請求項１に記載の文字入力装置。
【請求項６】
前記操作手段によって指示された文字に対してカーソルを表示するカーソル表示制御手段と、
前記カーソルが、前記第１の文字群の何れかの文字を指し示しているときは、前記カーソルの指し示す文字に関連する前記第２の文字群の文字情報を前記第１の文字群とは異なる位置にガイド表示するガイド表示手段をさらに備えた、請求項１に記載の文字入力装
置。
【請求項７】
前記第１の文字群表示手段は、前記第１の文字群に含まれる文字を、任意の文字を中心としてその周辺に表示し、
前記カーソル表示制御手段は、前記第２選択決定手段によって前記第２の文字群の文字が選択決定された後、前記カーソルを前記第１の文字群の中心位置の文字に自動的に復帰させることを特徴とする、請求項６に記載の文字入力装置。
【請求項８】
所定の文字数から成る第１の文字群と、前記第１の文字群のそれぞれの文字に関連すると共に所定の文字数から成る第２の文字群とを段階的に選択することによって所定の文字を入力する文字入力装置であって、
前記第１の文字群に含まれる文字を表示する第１の文字群表示手段と、
前記第２の文字群に含まれる文字を表示する第２の文字群表示手段と、
前記第１の文字群および前記第２の文字群に含まれる何れかの文字の指示と当該指示された文字の選択決定に用いられる操作手段と、
文字群の種類を選択する文字群種類選択手段とを備え、
前記第１の文字群表示手段および前記第２の文字群表示手段は、前記文字群種類選択手段によって選択された種類の文字群に関連する文字を表示させることを特徴とする、文字入力装置。
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】
コンピュータ・スクリーン上で資源オブジェクトに関するアクセス履歴提示方法であって、
（ａ）資源オブジェクトのアクセス履歴を逐次記録するステップと、
（ｂ）資源オブジェクトに関するアクセス履歴を時系列状に表現したアクセス履歴アイコンを生成するステップと、
（ｃ）生成されたアクセス履歴アイコンを、資源オブジェクトのアイコンと関連付けて前記コンピュータ・スクリーン上に表示するステップと、
を具備することを特徴とするアクセス履歴提示方法。
【請求項２】
コンピュータ・スクリーン上で資源オブジェクトに関するアクセス履歴提示装置であって、
（ａ）資源オブジェクトのアクセス履歴を逐次記録する手段と、
（ｂ）資源オブジェクトに関するアクセス履歴を時系列状に表現したアクセス履歴アイコンを生成する手段と、
（ｃ）生成されたアクセス履歴アイコンを、資源オブジェクトのアイコンと関連付けて前記コンピュータ・スクリーン上に表示する手段と、
を具備することを特徴とするアクセス履歴提示装置。
【請求項３】
前記アクセス履歴アイコンは、時間軸と、該時間軸上の対応する位置に配列された各アクセス履歴を示すマークとで構成されることを特徴とする請求項２に記載のアクセス履歴提示装置。
【請求項４】
前記アクセス履歴アイコンは、アクセス履歴の各々が資源オブジェクトに対する参照又は変更のいずれであるかを区別して、参照履歴マーク及び／又は変更履歴マークを前記時間軸上の対応する位置に配列して構成されることを特徴とする請求項２に記載のアクセス履歴提示装置。
【請求項５】
さらに、アクセス履歴アイコン内のある１つの変更履歴マークがユーザ選択されたことに応答して、該変更履歴マークに対応する資源オブジェクトの提供を実行する手段を具備することを特徴とする請求項４に記載のアクセス履歴提示装置。
【請求項６】
前記手段（ｂ）又は（ｃ）のうち少なくとも一方は、前記コンピュータ・スクリーン上に表示されたある１つの資源オブジェクトのアイコン表示領域にユーザの関心が突入したことに応答して起動することを特徴とする請求項２に記載のアクセス履歴提示装置。
【請求項７】
前記のユーザの関心は、コンピュータ・スクリーン上でマウス操作等により自在に移動するカーソルの表示位置で計測されることを特徴とする請求項６に記載のアクセス履歴提示装置。
【請求項８】
前記手段（ｂ）又は（ｃ）のうち少なくとも一方は、前記コンピュータ・スクリーン上に資源オブジェクトのアイコンが表示されたことに応答して起動することを特徴とする請求項２に記載のアクセス履歴提示装置。
【請求項９】
前記資源オブジェクトは、コンピュータ上で処理可能な所定フォーマット形式のファイルであることを特徴とする請求項２に記載のアクセス履歴提示装置。
【請求項１０】
他の資源オブジェクトへの参照情報を含んだ資源オブジェクトを提供する資源提供方法であって、
（ａ）各資源オブジェクトに対するアクセス履歴を逐次記録するステップと、
（ｂ）資源オブジェクトに関するアクセス履歴を時系列状に表現したアクセス履歴アイコンを表示するための命令を生成するステップと、
（ｃ）前記ステップ（ｂ）により生成された命令を、資源オブジェクトへの参照情報に添付するステップと、
を具備することを特徴とする資源提供方法。
【請求項１１】
他の資源オブジェクトへの参照情報を含んだ資源オブジェクトを提供する資源提供装置であって、
（ａ）各資源オブジェクトに対するアクセス履歴を逐次記録する手段と、
（ｂ）資源オブジェクトに関するアクセス履歴を時系列状に表現したアクセス履歴アイコンを表示するための命令を生成する手段と、
（ｃ）前記ステップ（ｂ）により生成された命令を、資源オブジェクトへの参照情報に添付する手段と、
を具備することを特徴とする資源提供装置。
【請求項１２】
前記アクセス履歴アイコンは、時間軸と、該時間軸上の対応する位置に配列された各アクセス履歴を示すマークとで構成されることを特徴とする請求項１１に記載の資源提供装置。
【請求項１３】
前記アクセス履歴アイコンは、アクセス履歴の各々が資源オブジェクトに対する参照又は変更のいずれであるかを区別して、参照履歴マーク及び／又は変更履歴マークを前記時間軸上の対応する位置に配列して構成されることを特徴とする請求項１１に記載の資源提供装置。
【請求項１４】
前記手段（ｂ）において生成されるアクセス履歴アイコンを表示するための命令は、資源オブジェクトを表示したコンピュータ・スクリーン上で、ある１つの参照情報にユーザの関心が突入したことに応答して、該参照情報が参照する資源オブジェクトについてのアクセス履歴アイコンを表示することを規定したことを特徴とする請求項１１に記載の資源提供装置。
【請求項１５】
前記手段（ｂ）において生成されるアクセス履歴アイコンを表示するための命令は、コンピュータ・スクリーン上に参照情報を表示したことに応答して、該参照情報が参照する資源オブジェクトについてのアクセス履歴アイコンを表示することを規定したことを特徴とする請求項１１に記載の資源提供装置。
【請求項１６】
前記手段（ｂ）又は（ｃ）のうち少なくとも一方は、資源オブジェクトの提供が要求されたことに応答して起動することを特徴とする請求項１１に記載のアクセス履歴提示装置。
【請求項１７】
前記資源オブジェクトはマークアップ記述言語で記述されたドキュメント・ファイルであり、前記手段（ｂ）で生成される命令はスクリプト言語で記述されたスクリプトであることを特徴とする請求項１１に記載の資源提供装置。
【請求項１８】
コンピュータ・スクリーン上で資源オブジェクトに関するアクセス履歴に関する情報を提示する処理をコンピュータ上で実行せしめるためのコンピュータ・プロクラムを、有形的且つコンピュータ可読な形式で提供するプログラム提供媒体であって、該コンピュータ・プログラムは、
（ａ）資源オブジェクトのアクセス履歴を逐次記録するステップと、
（ｂ）資源オブジェクトに関するアクセス履歴を時系列状に表現したアクセス履歴アイコンを生成するステップと、
（ｃ）生成されたアクセス履歴アイコンを、資源オブジェクトのアイコンと関連付けて前記コンピュータ・スクリーン上に表示するステップと、
を具備することを特徴とするプログラム提供媒体。
【請求項１９】
他の資源オブジェクトへの参照情報を含んだ資源オブジェクトを提供する資源提供処理をコンピュータ上で実行せしめるためのコンピュータ・プログラムを、有形的且つコンピュータ可読な形式で提供するプログラム提供媒体であって、前記コンピュータ・プログラムは、
（ａ）各資源オブジェクトに対するアクセス履歴を逐次記録するステップと、
（ｂ）資源オブジェクトに関するアクセス履歴を時系列状に表現したアクセス履歴アイコンを表示するための命令を生成するステップと、
（ｃ）前記ステップ（ｂ）により生成された命令を、資源オブジェクトへの参照情報に添付するステップと、
を具備することを特徴とするプログラム提供媒体。
【手続補正書】
【提出日】平成18年8月11日(2006.8.11)
【手続補正１】
【補正対象書類名】明細書
【補正対象項目名】発明の名称
【補正方法】変更
【補正の内容】
【発明の名称】フロントライト
【手続補正２】
【補正対象書類名】明細書
【補正対象項目名】特許請求の範囲
【補正方法】変更
【補正の内容】
【特許請求の範囲】
【請求項１】
光源と、導光板と、前記導光板の下面に接する複数の柱状レンズと、を有するフロントライトであって、
前記柱状レンズの側面に垂直な平面による裁断面は等脚台形であり、前記柱状レンズの前記等脚台形の上底がつくる平面が前記導光板の下面と接し、
前記等脚台形の鈍角をφとし、前記柱状レンズの全反射の臨界角をθとした場合、９０°＜φ≦９０°＋θであることを特徴とするフロントライト。
【請求項２】
光源と、導光板と、前記導光板の下面に接する複数の柱状レンズと、を有するフロントライトであって、
前記柱状レンズの側面に垂直な平面による裁断面は、平行な直線でなる対辺と、曲線でなる対辺でなる四辺に囲まれ、かつ前記直線でなる対辺の中点を通る垂線に線対称な図形であり、
前記柱状レンズは前記直線でなる対辺のうち短い辺が含まれる平面で前記導光板と接し、
前記線対称な図形において、前記曲線でなる対辺の一方の曲線の任意の点における法線と、前記曲線でなる対辺の他方の曲線と前記短い辺との交点と前記任意の点を結んだ直線とがなす角は、前記柱状レンズの全反射の臨界角±３°の範囲内にあることを特徴とするフロントライト。
【請求項３】
請求項１または請求項２において、
前記柱状レンズの屈折率は、前記導光板と等しいことを特徴とするフロントライト。
【請求項４】
請求項１乃至請求項３のいずれか１項において、
前記柱状レンズは、前記導光板と同じ材料で形成されていることを特徴とするフロントライト。
【請求項５】
光源と、導光板と、前記導光板の下面に接する複数の回転体状レンズと、を有するフロントライトであって、
前記回転体状レンズの形状は、平行な直線でなる対辺と、曲線でなる対辺とでなる四辺に囲まれ、かつ前記直線でなる対辺の中点を通る垂線に線対称な図形を対称軸周りに回転させた回転体状であり、
前記線対称な図形において、前記曲線でなる対辺の一方の曲線の任意の点における法線と、前記曲線でなる対辺の他方の曲線と前記直線でなる対辺の短い辺との交点と前記任意の点を結ぶ直線とがなす角は、前記回転体状レンズの全反射の臨界角±３°の範囲内にあり、
前記回転体状レンズは、前記短い辺がつくる平面で前記導光板と接していることを特徴とするフロントライト。
【請求項６】
請求項５において、
前記回転体状レンズの屈折率は、前記導光板と等しいことを特徴とするフロントライト。
【請求項７】
請求項５または請求項６において、
前記回転体状レンズは、前記導光板と同じ材料で形成されていることを特徴とするフロントライト。
【手続補正書】
【提出日】平成18年7月27日(2006.7.27)
【手続補正１】
【補正対象書類名】明細書
【補正対象項目名】発明の名称
【補正方法】変更
【補正の内容】
【発明の名称】Ｄ／Ａ変換回路及びその駆動方法、ならびに半導体装置の駆動方法
【手続補正２】
【補正対象書類名】明細書
【補正対象項目名】特許請求の範囲
【補正方法】変更
【補正の内容】
【特許請求の範囲】
【請求項１】
第１のＤ／Ａ変換回路と第２のＤ／Ａ変換回路とを有し、
前記第１のＤ／Ａ変換回路は、
各々異なる電圧が印加され、当該電圧が低い順に並べられた第１乃至第（２ｘ＋１）の電圧線（ｘは自然数）と、
前記第２乃至第（２ｘ＋１）の電圧線のうちのいずれか１つと第１の出力線とを選択的に接続する２ｘ個の第１のスイッチ素子を有する第１のスイッチ回路と、
前記第１乃至第２ｘの電圧線のうちのいずれか１つと第２の出力線とを選択的に接続する２ｘ個の第２のスイッチ素子を有する第２のスイッチ回路と、
を有し、
前記第２のＤ／Ａ変換回路は、
前記第１の出力線と前記第２の出力線との間に直列に接続された第１乃至第２ｙの抵抗（ｙは自然数）と、
前記第１乃至第２ｙの抵抗の抵抗と抵抗との接続点及び前記第２ｙの抵抗と前記第２の出力線との接続点と、第３の出力線とを選択的に接続する２ｙ個の第３のスイッチを有する第３のスイッチ回路と、
前記第２の出力線と前記第３の出力線とを選択的に接続する第４のスイッチとを有することを特徴とするＤ／Ａ変換回路。
【請求項２】
請求項１において、前記Ｄ／Ａ変換回路は、薄膜トランジスタを用いて絶縁基板上に形成されることを特徴とするＤ／Ａ変換回路。
【請求項３】
ｎビット（ｎは２以上の自然数）のデジタル信号に対応する電圧を出力線に出力するＤ／Ａ変換回路の駆動方法であって、
前記ｎビットのデジタル信号を上位ｘビットと下位ｙビットとに分割し（ｘ＋ｙ＝ｎ；ｘ、ｙは共に自然数）、
前記ｎビットのデジタル信号の上位ｘビットによって（２ｘ＋１）本の電圧線のうち隣り合う２本の電圧線が選択され、
選択された前記隣り合う２本の電圧線のうち、いずれか一方の電圧線に印加された第１の電圧が出力線に出力された後、
前記ｎビットのデジタル信号の下位ｙビットによって、選択された前記隣り合う２本の電圧線の電位差から２ｙ通りの第２の電圧が作り出され、
前記２ｙ通りの第２の電圧のうち、いずれか一つの第２の電圧が前記出力線に出力されることを特徴とするＤ／Ａ変換回路の駆動方法。
【請求項４】
ｎビット（ｎは２以上の自然数）のデジタル信号に対応する電圧を出力線に出力するＤ／Ａ変換回路の駆動方法であって、
前記ｎビットのデジタル信号を上位ｘビットと下位ｙビットとに分割し（ｘ＋ｙ＝ｎ；ｘ、ｙは共に自然数）、
前記ｎビットのデジタル信号の上位ｘビットによって（２ｘ＋１）本の電圧線のうち、第ｚおよび第（ｚ＋１）の電圧線が選択され（１≦ｚ≦２ｘ；ｚは自然数）、
選択された前記第ｚおよび第（ｚ＋１）の電圧線のうち、いずれか一方の電圧線に印加された第１の電圧が出力線に出力された後、
前記ｎビットのデジタル信号の下位ｙビットによって、選択された前記第ｚおよび第（ｚ＋１）の電圧線の電位差から、２ｙ通りの第２の電圧が作り出され、
前記２ｙ通りの第２の電圧のうち、いずれか一つの第２の電圧が前記出力線に出力されることを特徴とするＤ／Ａ変換回路の駆動方法。
【請求項５】
請求項３において、前記第１の電圧は、選択された前記隣り合う２本の電圧線のうち、他方の電圧線に印加された電圧値より低いことを特徴とするＤ／Ａ変換回路の駆動方法。
【請求項６】
請求項４において、前記第１の電圧は、選択された前記第ｚおよび第（ｚ＋１）の電圧線のうち、他方の電圧線に印加された電圧値より低いことを特徴とするＤ／Ａ変換回路の駆動方法。
【請求項７】
請求項３乃至６のいずれか一において、前記Ｄ／Ａ変換回路は、薄膜トランジスタを用いて絶縁基板上に形成されることを特徴とするＤ／Ａ変換回路の駆動方法。
【請求項８】
マトリクス状に配置された複数の薄膜トランジスタと、
前記複数の薄膜トランジスタを駆動するソース信号線側駆動回路と、ゲイト信号線側駆動回路と、
を備えた半導体装置の駆動方法であって、
前期ソース信号線側駆動回路は、ｎビット（ｎは２以上の自然数）のデジタル信号に対応する階調電圧を出力線に出力するＤ／Ａ変換回路を備えており、
前記ｎビットのデジタル信号を上位ｘビットと下位ｙビットとに分割し（ｘ＋ｙ＝ｎ；ｘ、ｙは共に自然数）、
前記ｎビットのデジタル信号の上位ｘビットによって（２ｘ＋１）本の階調電圧線のうち隣り合う２本の階調電圧線が選択され、
選択された前記隣り合う２本の階調電圧線のうち、いずれか一方の階調電圧線に印加された第１の階調電圧が出力線に出力された後、
前記ｎビットのデジタル信号の下位ｙビットによって、選択された前記隣り合う２本の階調電圧線の電位差から２ｙ通りの第２の階調電圧が作り出され、
前記２ｙ通りの第２の階調電圧のうち、いずれか一つの第２の階調電圧が前記出力線に出力されることを特徴とする半導体装置の駆動方法。
【請求項９】
マトリクス状に配置された複数の薄膜トランジスタと、
前記複数の薄膜トランジスタを駆動するソース信号線側駆動回路と、ゲイト信号線側駆動回路と、
を備えた半導体装置の駆動方法であって、
前期ソース信号線側駆動回路は、ｎビット（ｎは２以上の自然数）のデジタル信号に対応する階調電圧を出力線に出力するＤ／Ａ変換回路を備えており、
前記ｎビットのデジタル信号を上位ｘビットと下位ｙビットとに分割し（ｘ＋ｙ＝ｎ；ｘ、ｙは共に自然数）、
前記ｎビットのデジタル信号の上位ｘビットによって（２ｘ＋１）本の階調電圧線のうち、第ｚおよび第（ｚ＋１）の階調電圧線が選択され（１≦ｚ≦２ｘ；ｚは自然数）、
選択された前記第ｚおよび第（ｚ＋１）の階調電圧線のうち、いずれか一方の階調電圧線に印加された第１の階調電圧が出力線に出力された後、
前記ｎビットのデジタル信号の下位ｙビットによって、選択された前記第ｚおよび第（ｚ＋１）の階調電圧線の電位差から、２ｙ通りの第２の階調電圧が作り出され、
前記２ｙ通りの第２の階調電圧のうち、いずれか一つの第２の階調電圧が前記出力線に出力されることを特徴とする半導体装置の駆動方法。
【請求項１０】
請求項８において、前記第１の階調電圧は、選択された前記隣り合う２本の階調電圧線のうち、他方の階調電圧線に印加された電圧値より低いことを特徴とする半導体装置の駆動方法。
【請求項１１】
請求項９において、前記第１の階調電圧は、選択された前記第ｚおよび第（ｚ＋１）の階調電圧線のうち、他方の階調電圧線に印加された電圧値より低いことを特徴とする半導体装置の駆動方法。
【請求項１２】
請求項８乃至１１のいずれか一において、前記ソース信号線側駆動回路と、前記ゲイト信号線側駆動回路とは、薄膜トランジスタを用いて前記複数の薄膜トランジスタが形成された絶縁基板上に一体形成されることを特徴とする半導体装置の駆動方法。
【手続補正書】
【提出日】平成18年8月3日(2006.8.3)
【手続補正１】
【補正対象書類名】明細書
【補正対象項目名】発明の名称
【補正方法】変更
【補正の内容】
【発明の名称】画像表示装置
【手続補正２】
【補正対象書類名】明細書
【補正対象項目名】特許請求の範囲
【補正方法】変更
【補正の内容】
【特許請求の範囲】
【請求項１】
電子の供給源である陰極、および上記陰極と電気的に隔絶されており、陰極からの電子放出を制御する電圧を印加する制御電極を備える電子源と、上記電子源から放出される電子を受けて発光する発光体を持つ陽極を備える平板型表示素子と、
画像表示時と電子放出特性評価時に、陽極電圧を複数の設定値の間で切り換えかつ電子放出特性評価時には陽極電圧値が画像表示時よりも低い値とする機構と、
上記陰極と上記制御電極の間に印加する電子源駆動信号と実際に放出される電子線強度の関係である電子放出特性を記憶する記憶装置と、
上記記憶装置に記憶されている電子放出特性と入力された画像信号をもとに実際に必要な駆動信号を演算し、その結果を表示素子に入力する駆動装置を有してなることを特徴とする画像表示装置。
【請求項２】
すべての画素の輝度を零とするような画像信号が入力された場合に、各画素の電子源の電子放出特性の評価を行なう機構を有することを特徴とする請求項１記載の画像表示装置。
【手続補正３】
【補正対象書類名】明細書
【補正対象項目名】発明の詳細な説明
【補正方法】変更
【補正の内容】
【発明の詳細な説明】
【発明の実施の形態】
【００３０】
以上のように作製した陽極５側と電子源パネル２０を隔壁１４とブラックマトリクスの位置が一致するように接合した。また、パネル全体を真空排気するために表示パネル１９と背面パネル２１をフリットガラスにより接合した。ガラス基板１の背面には主にバリウムからなるゲッタ２２を取付けた。背面パネル２１に
予めとりつけてある排気管２３から油拡散ポンプを用いて約２００℃に加熱しながら１００μＰａ程度まで排気した後、排気管２３を封じ切り、ゲッタ２２を加熱して背面パネル２１内面にバリウムゲッタ膜を形成した。以上の工程により完成した平板型表示素子に、前記図４のブロック図に示した構成を有する周辺回路を接続することにより、電子放出特性補正機構を備えた画像表示装置を作製することができた。
【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  ユーザの音声を常時入力し、入力された音声の中に認識辞書部に登録された操作コマンドを音声認識部により認識したとき該当する操作を実行する音声認識装置であって、
使用状況に応じて優先して前記認識辞書部の操作コマンドを照合する優先辞書部を備え、
前記音声認識部は、前記優先辞書部により照合された操作コマンドに該当する操作を実行することを特徴とする音声認識装置。
【請求項２】  前記認識辞書部は、基本辞書データおよび優先辞書データ領域を有し、該優先辞書データ領域にアクセスして、該当する前記操作コマンドにヒットしないときに、前記基本辞書データをアクセスする請求項１に記載の音声認識装置。
【請求項３】  予め定めた一定期間内に、前記優先辞書データ領域へのアクセスがなかった前記操作コマンドは、該優先辞書データ領域での登録を抹消する請求項２に記載の音声認識装置。
【請求項４】  認識処理部を備え、
該認識処理部は、ネットワークに共通に接続される各種のサービス機器のそれぞれの動作モードを、該ネットワークを介して検知し、検知した該動作モードが、前記音声認識部で認識された前記操作コマンドに関連する動作モードと競合するとき、前記の検知した動作モードが完了するまで、前記の認識された操作コマンドに関連する動作モードの受け付けをしない請求項１に記載の音声認識装置。
【請求項５】  認識処理部を備え、
該認識処理部は、前記音声認識部にて前記操作関連音声に該当する前記操作コマンドをヒットしたことをユーザに、画面表示または合成音声にて、通知する請求項１に記載の音声認識装置。
【請求項６】  認識処理部と、各種のサービス機器のそれぞれの動作モードを表示する表示部とを備え、
前記の照合された操作コマンドに基づき当該サービス機器より生成された複数のサービス結果の候補を、前記表示部に付帯する複数の押しボタンスイッチまたは該表示部に表示される複数のタッチパネルスイッチに順次、所定の優先度に従って割り付ける請求項１に記載の音声認識装置。
【請求項７】  認識処理部を備え、
該認識処理部は、前記音声認識装置を駆動すべき条件が満足しているか否か判断し、満足している期間中のみ、該音声認識装置へ電源供給する請求項１に記載の音声認識装置。
【請求項８】  認識処理部を備え、
該認識処理部は、ユーザの音声を集音する複数のマイクからの音圧レベルを入力とし、ユーザが複数のとき、最も高い音圧レベルの信号を、前記操作の関連音声を切り出す音声切出部に選択的に入力する請求項１に記載の音声認識装置。
【請求項９】  前記認識辞書部内の基本辞書データとして、さらに、前記ユーザの音声を集音するマイクに入力されることが予想される各種の外部ノイズに相当するデータを登録する請求項１に記載の音声認識装置。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  対向する２つのヨークの内側に複数個の永久磁石が等ピッチで固着された構造の界磁部と、前記永久磁石間の磁気空隙内に配置された電機子巻線部とからなり、前記電機子巻線部に電流励磁して推力を発生させ直線運動をするリニアモータにおいて、
前記ヨークに、等ピッチの溝を形成した永久磁石固定用ガイドを接着固定するとともに、複数の永久磁石を、前記永久磁石固定用ガイドの溝内に挿入して位置決めし、かつ接着固定したことを特徴とするリニアモータ。
【請求項２】  複数個の永久磁石が等ピッチで固着された構造の界磁部と、前記永久磁石と対向するように配置された電機子巻線部とからなり、前記電機子巻線部に電流励磁して推力を発生させ直線運動をするリニアモータにおいて、
前記複数の永久磁石を、等ピッチの溝を形成した永久磁石固定用ガイドの溝内に挿入して位置決めしたことを特徴とするリニアモータ。
【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】入力クロマ信号と後述するＡＰＣ（Ａｕｔｏ Ｐｈａｓｅ Ｃｏｎｔｒｏｌ）回路からのＣＯＳ波信号とを掛算する第１の掛算回路と、入力クロマ信号と後述するＡＰＣ回路からのＳＩＮ波信号とを掛算する第２の掛算回路と、前記第１の掛算回路からの出力信号の高域成分を落とす第１のローパスフィルター回路と、前記第２の掛算回路からの出力信号の高域成分を落とす第２のローパスフィルター回路と、前記第１のローパスフィルター回路の出力信号レベルを「０」にするブランキング処理を施す第１のＢＬＫ回路と、前記第２のローパスフィルター回路の出力信号レベルを「０」にするブランキング処理を施す第２のＢＬＫ回路と、前記第２のローパスフィルター回路からの出力信号を入力とし、入力クロマ信号のサブキャリアーの周波数と、出力するＳＩＮ波、ＣＯＳ波の周波数とを一致させるように動作するＡＰＣ（Ａｕｔｏ Ｐｈａｓｅ Ｃｏｎｔｒａｏｌ）回路と、前記第２のローパスフィルター回路からの出力信号を１水平期間の時間遅延させる１Ｈディレイ回路と、前記１Ｈディレイ回路からの出力信号から前記第２のローパスフィルター回路の出力信号を減算する減算回路と、ＰＡＬ方式クロマ信号を復調する際にラインのアイデントを特定できるラインアイデント信号を入力とし、前記減算回路からの出力信号の極性を前記ラインアイデント信号がＨならば反転して出力し、前記ラインアイデント信号がＬならばそのままの極性にて出力するライン反転回路と、前記ライン反転回路からの出力信号と、前記第１のローパスフィルター回路からの出力信号を外部から入力する制御信号にて切り換える切り換え回路と、前記切り換え回路からの出力信号の中で、バースト期間の信号レベルの大きさによりクロマ信号有り無しを判別するキラー判定回路とを備えたことを特徴とするキラー回路。
【請求項２】前記切り換え回路は、前記入力クロマ入力信号がＰＡＬ時には前記ライン反転回路からの出力信号を、前記入力クロマ入力信号がＮＴＳＣ時には前記第１のローパスフィルター回路からの出力信号を選択することを特徴とする請求項１記載のキラー回路。
【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】入力されたクロマ信号と後述するクリップ回路からの出力信号とを掛算する第１の掛算回路と、前記第１の掛算回路からの出力信号を入力し、入力されたクロマ信号のサブキャリアーにロックしているＳＩＮ波を出力するＡＰＣ（Ａｕｔｏ Ｐｈａｓｅ Ｃｏｎｔｒｏｌ）回路と、前記第１の掛算回路からの出力信号と前記ＡＰＣ回路からのＳＩＮ波信号とを掛算する第２の掛算回路と、前記第２の掛算回路からの出力信号の高域成分を落とす第１のローパスフィルター回路と、前記第１のローパスフィルター回路からの出力信号の中で、バースト期間の信号レベルを出力するバーストレベル検出回路と、前記バーストレベル検出回路からの出力信号と基準データとを比較してそのレベル差を出力する比較回路と、前記比較回路からの出力信号の高域成分を落とす第２のローパスフィルター回路と、前記第２のローパスフィルター回路からの出力信号のＨｉｇｈ側のレベルをクリップするクリップ回路とを備えたことを特徴とするＡＣＣ回路。
【請求項２】前記クリップ回路のクリップレベルを可変できるようにしたことを特徴とする請求項１記載のＡＣＣ回路。
【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】  
アナログコンポジット信号をサンプリングクロックでサンプリングしてデジタルコンポジット信号に変換するＡＤ変換回路と、前記デジタルコンポジット信号から同期信号を分離すると共に、バースト信号をゲートするためのバーストゲートパルスを出力する同期分離回路と、前記デジタルコンポジット信号を入力とし輝度信号と色搬送波信号とを分離するＹＣ分離回路と、前記ＹＣ分離回路に接続され、前記色搬送波信号の信号振幅を調整するゲイン調整回路と、前記ゲイン調整回路からの出力信号に色副搬送波信号のＳＩＮ成分を乗算する第１の掛算回路と、前記ゲイン調整回路からの出力信号に色副搬送波信号のＣＯＳ成分を乗算する第１の掛算回路と、前記第1の掛算回路からの出力信号を入力とし、高調波成分を取り除く第1のローパスフィルター回路と、前記第２の掛算回路からの出力信号を入力とし、高調波成分を取り除く第２のローパスフィルター回路と、前記同期分離回路から出力されるバーストゲートパルスに基づくバーストゲートパルス期間において、前記第1のローパスフィルター回路からの出力信号を累積し、前記色副搬送波信号のＳＩＮ波との位相誤差を位相誤差信号として出力する第1のバースト期間累積回路と、前記同期分離回路から出力されるバーストゲートパルスに基づくバーストゲートパルス期間において、前記第２のローパスフィルター回路からの出力信号を累積する第２のバースト期間累積回路と、前記第１のバースト期間累積回路からの位相誤差信号の信号レベルに応じてクロック周波数を変えることができるＶＣＯ（Ｖｏｌｔａｇｅ  Ｃｏｎｔｒｏｌ  Ｏｓｃｉｌｌａｔｏｒ）回路と、前記ＶＣＯ回路からの出力信号と放送方式に対応した制御信号により、前記色副搬送波信号のＳＩＮ成分及びＣＯＳ成分の周波数を制御して出力するＳＩＮＣＯＳ生成回路とを備えたことを特徴とするクロック発生回路。
【請求項２】前記請求項１において、さらに、ランプ波形回路は入力された制御信号とラッチ回路からの出力信号を加算する加算回路と、前記加算回路からの出力信号を入力されるクロック信号によりラッチするラッチ回路と、前記加算回路からの出力信号を入力とし、前記出力信号を割り算する割算回路とを備えたことを特徴とするクロック発生回路。
【請求項３】前記請求項１又は２において、前記ゲイン調整回路は、前記第２のバースト期間累積回路からの制御信号と基準信号を比較して、基準信号が大きければ出力する信号振幅を大きくすることを特徴とするクロック発生回路。
【手続補正２】
【補正対象書類名】明細書
【補正対象項目名】００２０
【補正方法】変更
【補正の内容】
【００２０】
【発明の実施の形態】本発明の第１の発明は、サンプリングクロック周波数を大きく変えることなくＮＴＳＣ、ＰＡＬ方式等のＹＣ分離及びクロマ復調を高精度で、かつ簡単なシステムで構成できるという効果を特徴とするクロック発生回路であり、サンプリングクロックをカウントアップする際に、制御信号に応じて出力するランプ波形の周波数を制御できるランプ波形回路により、サンプリング周波数をサブキャリヤー周波数の任意倍に設定できるという作用を有する。
【手続補正３】
【補正対象書類名】明細書
【補正対象項目名】００２１
【補正方法】変更
【補正の内容】
【００２１】
本発明の第２の発明は、コンポジット信号を入力とするＡＤ変換回路と、前記ＡＤ変換回路の出力信号を入力と同期信号を分離すると共に、バースト信号をゲートするためのバーストゲートパルスを出力する同期分離回路と、前記ＡＤ変換回路からの出力信号を入力としＹＣ分離をおこなうＹＣ分離回路と、前記ＹＣ分離回路からのクロマ出力信号を入力とし、後述する第２のバースト期間累積回路からの制御信号と基準信号とを比較して、基準信号が大きければ出力する信号振幅を大きくするゲイン調整回路と、前記ゲイン調整回路からの出力信号と後述するＳＩＮＣＯＳ生成回路からの出力信号とを入力し、それら２つの信号を掛け算する第１及び第２の掛算回路と、前記第1の掛算回路からの出力信号を入力とする。
【手続補正４】
【補正対象書類名】明細書
【補正対象項目名】００２３
【補正方法】変更
【補正の内容】
【００２３】
本発明の第３の発明は、上記の第２の発明に加えて、ランプ波形回路は入力された制御信号と後述するラッチ回路からの出力信号を加算する加算回路と、前記加算回路からの出力信号を入力されるクロック信号によりラッチするラッチ回路と、前記加算回路からの出力信号を入力とし、その信号を割り算する割算回路とを備え、少ない回路構成にてランプ波形の周波数を可変できるランプ波形回路であり、制御信号を動かす事により出力されるランプ波形の周波数を可変できという作用を有する。
【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】
取付基板に開設した開口部に、該開口部を閉塞可能な開閉板を回動自在に軸着し、該開閉板の駆動源としてのソレノイドを備え、該ソレノイドの駆動により開口部へ遊技球を受入れない状態と、開口部へ遊技球を極めて受入れ易い状態とに変換可能な弾球遊技機の入賞装置において、
前記ソレノイドは、コイルと、該コイルを支持すると共に、コイルより発生する磁束の磁気回路を形成するフレームと、前記コイルに有する中空部を挿通させて設けられた出力軸と、前記出力軸の端部に取付けられた回転板と、該回転板の外周側と対応するフレームに密着させ、且つ適宜の間隔を存してそれぞれ配置された磁極面の極性が異なる複数個の永久磁石とを備え、
前記回転板の回転範囲を規制し、且つ前記各永久磁石の磁気中性点より回転方向にずらせた位置に設けられた回転板ストッパを備えたことを特徴とする弾球遊技機の入賞装置。
【手続補正２】
【補正対象書類名】明細書
【補正対象項目名】０００５
【補正方法】変更
【補正の内容】
【０００５】
【課題を解決するための手段】
本発明は、上記課題に鑑み提案されたもので、請求項１記載の弾球遊技機の入賞装置は、取付基板に開設した開口部に、該開口部を閉塞可能な開閉板を回動自在に軸着し、該開閉板の駆動源としてのソレノイドを備え、該ソレノイドの駆動により開口部へ遊技球を受入れない状態と、開口部へ遊技球を極めて受入れ易い状態とに変換可能な弾球遊技機の入賞装置において、前記ソレノイドは、コイルと、該コイルを支持すると共に、コイルより発生する磁束の磁気回路を形成するフレームと、前記コイルに有する中空部を挿通させて設けられた出力軸と、前記出力軸の端部に取付けられた回転板と、該回転板の外周側と対応するフレームに密着させ、且つ適宜の間隔を存してそれぞれ配置された磁極面の極性が異なる複数個の永久磁石とを備え、前記回転板の回転範囲を規制し、且つ前記各永久磁石の磁気中性点より回転方向にずらせた位置に設けられた回転板ストッパを備えたことを特徴とするものである。
【手続補正３】
【補正対象書類名】明細書
【補正対象項目名】０００６
【補正方法】削除
【補正の内容】
【手続補正書】
【提出日】平成18年9月26日(2006.9.26)
【手続補正１】
【補正対象書類名】明細書
【補正対象項目名】００３３
【補正方法】変更
【補正の内容】
【００３３】
第１のリターンスプリング１３は、その上端１３ａを本体ケース１０に固定するとともに、下端１３ｂをピストン体１１に固定して設けられたものである。この第１のリターンスプリング１３は、ピストン体１１が下方に移動するにつれてそのピストン体１１を弾性的な復帰力によって上方に引き戻そうとする。つまり、第１のリターンスプリング１３は、図２に示す状態が自然長であって、この状態から伸張されると弾性引張力を発揮してピストン体１１を上方に押し戻すのである。
【手続補正２】
【補正対象書類名】明細書
【補正対象項目名】００３８
【補正方法】変更
【補正の内容】
【００３８】
キャップ１８は、本体ケース１０のアンダーカバー１０ｂの外側に装着されたものであって、全体が透明なプラスチック等によって構成されている。キャップ１８内部の収容空間部１８ａには、アンダーカバー１０ｂの下端開口１０ｂａを通じて突き出たランセットＢの尖端Ｂ１が位置され、さらにランセットＢの尖端Ｂ１より下方には、キャップ１８の端面に開けられた開口部１８ｂが位置している。この開口部１８ｂを密封するようにキャップ１８の先端に対して患者の皮膚が押し当てられる。また、キャップ１８は、その内周に形成されたネジ山（図示省略）を介してアンダーカバー１０ｂの外側に装着されるものであるが、そのねじ込む深さを調節することで開口部１８ｂからランセットＢの尖端Ｂ１までの高さＨが調節可能とされている。さらに、キャップ１８には、アンダーカバー１０ｂの外側に装着された状態で収容空間部１８ａの気密性を維持するためにオーリング１８ｃが設けられている。これにより、キャップ１８内部の収容空間部１８ａからケース室内１０ｃにかけては、開口部１８ｂを皮膚で塞いだ状態とすることにより空気を閉じ込めた状態とすることができる。
【手続補正３】
【補正対象書類名】明細書
【補正対象項目名】００３９
【補正方法】変更
【補正の内容】
【００３９】
ラッチ機構２０は、第１および第２のプランジャロッド１２，１５がそれらの間にショットスプリング１４を挟んだ状態で下方に移動する際、先ず第２のプランジャロッド１５の移動を制止させ、その後引き続きショットスプリング１４が圧縮変形することにより、そのショットスプリング１４から上向きの圧縮弾性力による反動を受けつつ下方に移動する第１のプランジャロッド１２の移動を制止させるものである。そのために、ラッチ機構２０は、先述した第１および第２の係合部１２ａ，１５ａに対応したかたちの係止部２１ａ，２２ａを有する第１および第２の係止部材２１，２２と、これらの係止部２１ａ，２２ａを第１および第２のプランジャロッド１２，１５のそれぞれに対して径方向外側から付勢するためのラッチ用バネ（弾性体）２３，２４などを有して構成される。
【手続補正４】
【補正対象書類名】明細書
【補正対象項目名】００４２
【補正方法】変更
【補正の内容】
【００４２】
このリリース機構３０によれば、リリースボタン３１の押圧部３１ａが本体ケース１０の側面所定箇所から突出したかたちとされ、本体ケース１０の径方向に沿ってプッシュ操作される。すると、第１および第２の係止部材２１，２２における係止部２１ａ，２２ａが同時に第１および第２の係合部１２ａ，１５ａから解放された状態となり、ラッチ機構２０によって制止状態にあった第１および第２のプランジャロッド１２，１５がショットスプリング１４の圧縮弾性力によって互いに上下に反発し合う。この際、リリースボタン３１とケース室内１０ｃとの隙間には、ゴム製などでできた膜状のシールド部材３３が設けられていることから、ケース室内１０ｃの空気が外部に漏れることはない。こうしてリリースボタン３１をプッシュ操作すると、第２のプランジャロッド１５がランセット装着体１６を下方に向けて打撃あるいは押し下げ、ランセットＢの尖端Ｂ１が開口部１８ｂに向けて瞬間的に移動する。それと同時に、第１のプランジャロッド１２およびピストン体１１が上方に引き戻されることで、ケース室内１０ｃの容積が増大して減圧状態が生じる。
【手続補正書】
【提出日】平成18年9月4日(2006.9.4)
【手続補正１】
【補正対象書類名】明細書
【補正対象項目名】特許請求の範囲
【補正方法】変更
【補正の内容】
【特許請求の範囲】
【請求項１】
被検体が置かれる空間に静磁場、傾斜磁場および高周波磁場の各磁場を発生する磁場発生手段と、
前記被検体の発生する磁気共鳴信号を検出する検出手段と、検出した磁気共鳴信号を用いて画像再構成する画像再構成手段と、再構成された画像を表示する表示手段と、前記各手段を制御する制御手段とを備えた磁気共鳴画像診断装置において、
前記制御手段は、前記被検体の所定領域内に所望の関心領域を設定する手段と、設定された関心領域を選択的に励起する高周波磁場の変調波形をリアルタイムで算出する手段とを備え、前記変調波形によって変調された高周波磁場を２ないし３軸方向の振動傾斜磁場と同時に印加し、前記被検体の所定の領域についてスペクトル情報を含む信号を取得する制御を行うことを特撒とする磁気共鳴画像診断装置。
【請求項２】
前記関心領域設定手段は、
所望のスライスについて撮影した断層像をスカウト画像として前記表示手段に表示し、表示されたスカウト画像上で前記関心領域を対話的に設定するための入力を受け付けることを特徴とする請求項１記載の磁気共鳴画像診断装置。
【請求項３】
前記制御手段は、前記関心領域を含む最小の矩形領域を設定し、この矩形領域に応じて画像マトリクスサイズを決定することを特徴とする請求項１または２記載の磁気共鳴画像診断装置。
【手続補正２】
【補正対象書類名】明細書
【補正対象項目名】００１４
【補正方法】変更
【補正の内容】
【００１４】
本発明のMRI装置において、ROIを設定する手段は、所望のスライスについて撮影した断層像をスカウト画像として表示手段に表示し、 表示されたスカウト画像上でROIを対話的に設定するための入力を受け付ける機能を有する。
【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】
静磁場を発生する静磁場発生手段、前記静磁場中に置かれた被検体に対して、高周波電磁波を印加する送信手段、前記静磁場に磁場勾配を与える傾斜磁場発生手段、前記被検体から発生する核磁気共鳴信号を計測する受信手段、これら送信手段、傾斜磁場発生手段および受信手段を所定のパルスシーケンスに従い制御する制御手段、計測された核磁気共鳴共信号に基づいて画像処理を行う画像処理手段を備えた磁気共鳴イメージング装置において、
前記制御手段は、前記静磁場の中心に対する計測領域中心のずれ量に応じて前記高周波磁場の位相および核磁気共鳴信号の計測位相を調整する手段を備えたことを特徴とする磁気共鳴イメージング装置。
【請求項２】
前記制御手段は、位相エンコード方向に発生する線状アーチファクトを前記計測領域に対し任意の位置に移動することを特徴とする請求項１記載の磁気共鳴イメージング装置。
【請求項３】
前記画像処理手段は、計測領域の中心と前記静磁場の中心がずれた計測を行う際に、前記計測領域の中心を画像の中心にシフトし且つ前記線状アーチファクトを画像の端部に表示することを特徴とする請求項１または２に記載の磁気共鳴イメージング装置。
【請求項４】
前記所定のパルスシーケンスは、高周波磁場として励起パルスとそれに続く２以上の反転パルスを印加し、各反転パルス後に核磁気共鳴信号を計測するパルスシーケンスであり、前記制御手段は、前記励起パルスの位相および核磁気共鳴信号の計測位相を制御することを特徴とする請求項１記載の磁気共鳴イメージング装置。
【請求項５】
前記制御手段は、前記所定のパルスシーケンスの繰り返し毎の位相エンコード量の変化に合わせて前記高周波磁場の位相および核磁気共鳴信号の計測位相を変化させることを特徴とする請求項１ないし４いずれか１項に記載の磁気共鳴イメージング装置。